(57)【要約】【課題】  低デューティ駆動を行うＳＴＮ方式の液晶パネルの応答速度を向上させた液晶表示装置を提供する。【解決手段】  本発明の一態様にかかる液晶表示装置は、表示データに基づいて生成される信号電極電圧が印加される信号電極と、１／２〜１／１６のデューティの対向電極電圧が印加される対向電極と、信号電極と対向電極とに挟持され、両電極により液晶駆動電圧が印加される液晶層とを有するＳＴＮ方式の液晶表示装置であって、第１の表示データに対応する第１の液晶駆動電圧を前記液晶層に印加し、第１の表示データから第２の表示データへと切り替えるタイミングＡで、第２の表示データに対応する第２の液晶駆動電圧より低い液晶駆動電圧を液晶層に印加する切り替え期間Ｂを有するものである。【選択図】  図３
2006308807.tif 000002
【特許請求の範囲】
【請求項１】
表示データに基づいて生成される信号電極電圧が印加される信号電極と、
１／２〜１／１６のデューティの対向電極電圧が印加される対向電極と、
前記信号電極と前記対向電極とに挟持され、両電極により液晶駆動電圧が印加される液晶層とを有するＳＴＮ方式の液晶表示装置であって、
第１の表示データに対応する第１の液晶駆動電圧を前記液晶層に印加し、
前記第１の表示データから第２の表示データへと切り替えるタイミングで、第２の表示データに対応する第２の液晶駆動電圧より低い液晶駆動電圧を前記液晶層に印加する切り替え期間を有する液晶表示装置。
【請求項２】
前記切り替え期間は、前記表示データの切り替わり毎に設けられている請求項１に記載の液晶表示装置。
【請求項３】
前記切り替え期間における前記対向電極電圧のデューティは、前記第１の液晶駆動電圧を印加しているときの当該対向電極電圧のデューティと等しい請求項１又は２に記載の液晶表示装置。
【請求項４】
前記切り替え期間における前記信号電極電圧と前記対向電極電圧とは等しい請求項１、２又は３に記載の液晶表示装置。
【請求項５】
表示データに基づいて生成される信号電極電圧が印加される信号電極と、
１／２〜１／１６のデューティの対向電極電圧が印加される対向電極と、
前記信号電極と前記対向電極とに挟持され、両電極により液晶駆動電圧が印加される液晶層とを有するＳＴＮ方式の液晶表示装置の駆動方法であって、
第１の表示データに対応する第１の液晶駆動電圧を前記液晶層に印加し、
前記第１の表示データから第２の表示データへ切り替え、
前記第２の表示データに切り替わるタイミングで、切り替え電圧を前記液晶層に印加し、
前記切り替え電圧を印加した後、前記切り替え電圧よりも高い前記第２の表示データに対応した第２の液晶駆動電圧を前記液晶層に印加する液晶表示装置の駆動方法。
【請求項６】
前記表示データの切り替わり毎に、前記切り替え電圧を印加する請求項５に記載の液晶表示装置の駆動方法。
【請求項７】
前記切り替え電圧を印加しているときの当該対向電極電圧のデューティは、前記第１の液晶駆動電圧を印加しているときの当該対向電極電圧のデューティと等しい請求項５又は６に記載の液晶表示装置の駆動方法。
【請求項８】
前記切り替え電圧を印加しているときの前記信号電極電圧は、前記対向電極電圧と等しい請求項５、６又は７に記載の液晶表示装置の駆動方法。
【発明の詳細な説明】
【技術分野】
【０００１】
本発明は、液晶表示装置及びその駆動方法に関し、特に、ＳＴＮ方式の液晶表示装置及びその駆動方法に関する。
【背景技術】
【０００２】
近年、高度な映像・情報化社会の進展やマルチメディアシステムの普及に伴い、表示装置の重要性はますます増大している。例えば、スピードメータとして用いられる車載用表示装置には、薄型・軽量・低消費電力という利点を有することから、液晶表示装置が広く用いられている。
【０００３】
車載の情報表示として用いられる液晶表示装置として、一定のキャラクタの表示体と任意表示ができるドットの表示体の２種類がよく用いられている。最近、省スペース化、美粧性の観点から、１つの液晶パネル内に走査電極群とこれに直交する信号電極群の交差部から形成されるドット表示部と、一定のキャラクタの表示を行うセグメント表示部とが混在した液晶パネルが用いられるようになってきた。例えば、ドット表示部では簡易的なナビゲーションの情報を表示し、セグメント表示部ではスピードの目盛りを表示する。
【０００４】
上述のような液晶パネルを駆動する場合、ドット表示部とセグメント表示部との表示を独立して制御するため、１つの液晶パネル内にドット表示部を形成する対向電極群と信号電極群に加え、セグメント表示部を形成する対向電極群と信号電極群を別途設ける。この場合、それぞれ専用の駆動ＩＣにより、ドット表示部とセグメント表示部とをそれぞれ独立のデューティで、任意の表示状態としていた（例えば、特許文献１参照）。
【特許文献１】特開平１０−２０７４３８号公報
【発明の開示】
【発明が解決しようとする課題】
【０００５】
ところで、上述の液晶パネルにおいて、ドット表示部は高デューティ駆動がなされている。一方、セグメント表示部はスピードメータや警告表示などに用いられることが多い。このため、セグメント表示部の応答速度を早くしたいという要求がある。したがって、セグメント表示部においては、ドット表示部と異なり、低デューティ駆動がなされる。
【０００６】
通常、高デューティ駆動の場合、ＴＮ方式の液晶パネルを用いると、電圧に対する透過率の変化が緩やかであるため、コントラストが悪くなる。したがって、電圧に対する透過率の変化が急峻なＳＴＮ方式の液晶パネルを用いる。
【０００７】
しかしながら、１つの液晶パネル内に、ドット表示部とセグメント表示部とが形成されている液晶パネルでは、セグメント表示部は、低デューティ駆動であるにもかかわらず、ＳＴＮ方式の液晶パネルを用いることとなってしまう。図６にＳＴＮ方式の液晶パネルの実効電圧に対する透過率の変化を示す。図６からわかるように、低デューティ駆動の場合、オン電圧がかかりすぎた状態となってしまう。すなわち、ノーマリーブラックの液晶パネルの場合、白表示状態のときに電圧がかかりすぎてしまうこととなる。したがって、白表示状態から黒表示状態に切り替わるときの応答速度が遅くなってしまうという問題があった。
【０００８】
本発明は、このような事情を背景としてなされたものであり、本発明の目的は、ＳＴＮ方式の液晶パネルにおいて、低デューティ駆動を行う際の応答速度を改善した液晶表示装置及びその駆動方法を提供することを目的とする。
【課題を解決するための手段】
【０００９】
本発明の第１の態様にかかる液晶表示装置は、表示データに基づいて生成される信号電極電圧が印加される信号電極と、１／２〜１／１６のデューティの対向電極電圧が印加される対向電極と、前記信号電極と前記対向電極とに挟持され、両電極により液晶駆動電圧が印加される液晶層とを有するＳＴＮ方式の液晶表示装置であって、第１の表示データに対応する第１の液晶駆動電圧を前記液晶層に印加し、前記第１の表示データから第２の表示データへと切り替えるタイミングで、第２の表示データに対応する第２の液晶駆動電圧より低い液晶駆動電圧を前記液晶層に印加する切り替え期間を有するものである。これによって、応答速度を向上させることができる。
【００１０】
本発明の第２の態様にかかる液晶表示装置は、上記の液晶表示装置において、前記切り替え期間は、前記表示データの切り替わり毎に設けられているものである。これによって、簡便に応答速度を向上させることができる。
【００１１】
本発明の第３の態様にかかる液晶表示装置は、上記の液晶表示装置において、前記切り替え期間における前記対向電極電圧のデューティは、前記第１の液晶駆動電圧を印加しているときの当該対向電極電圧のデューティと等しいものである。これによって、簡便に応答速度を向上させることができる。
【００１２】
本発明の第４の態様にかかる液晶表示装置は、上記の液晶表示装置において、前記切り替え期間における前記信号電極電圧と前記対向電極電圧とは等しいものである。これによって、さらに応答速度を向上させることができる。
【００１３】
本発明の第５の態様にかかる液晶表示装置の駆動方法は、表示データに基づいて生成される信号電極電圧が印加される信号電極と、１／２〜１／１６のデューティの対向電極電圧が印加される対向電極と、前記信号電極と前記対向電極とに挟持され、両電極により液晶駆動電圧が印加される液晶層とを有するＳＴＮ方式の液晶表示装置の駆動方法であって、第１の表示データに対応する第１の液晶駆動電圧を前記液晶層に印加し、前記第１の表示データから第２の表示データへ切り替え、前記第２の表示データに切り替わるタイミングで、切り替え電圧を前記液晶層に印加し、前記切り替え電圧を印加した後、前記切り替え電圧よりも高い前記第２の表示データに対応した第２の液晶駆動電圧を前記液晶層に印加する。これによって、応答速度を向上させることができる。
【００１４】
本発明の第６の態様にかかる液晶表示装置の駆動方法は、上記の駆動方法において、前記表示データの切り替わり毎に、前記切り替え電圧を印加する。これによって、簡便に応答速度を向上させることができる。
【００１５】
本発明の第７の態様にかかる液晶表示装置の駆動方法は、上記の駆動方法において、前記切り替え電圧を印加しているときの当該対向電極電圧のデューティは、前記第１の液晶駆動電圧を印加しているときの当該対向電極電圧のデューティと等しい。これによって、簡便に応答速度を向上させることができる。
【００１６】
本発明の第８の態様にかかる液晶表示装置の駆動方法は、上記の駆動方法において、前記切り替え電圧を印加しているときの前記信号電極電圧は、前記対向電極電圧と等しい。これによって、さらに応答速度を向上させることができる。
【発明の効果】
【００１７】
本発明によれば、低デューティ駆動を行うＳＴＮ方式の液晶パネルの応答速度を向上させた液晶表示装置及びその駆動方法を提供することができる。
【発明を実施するための最良の形態】
【００１８】
以下に、本発明の実施の形態について図を参照して説明する。以下の説明は、本発明の実施の形態を説明するものであり、本発明が以下の実施の形態に限定されるものではない。説明の明確化のため、以下の記載及び図面は、適宜、省略及び簡略化がなされている。又、当業者であれば、以下の実施の形態の各要素を、本発明の範囲において容易に変更、追加、変換することが可能である。なお、各図面において、同一要素には同一の符号が付されており、説明の明確化のため、必要に応じて重複説明は省略されている。
【００１９】
実施の形態１．
本発明の実施の形態１について、図１を参照して説明する。図１は、本発明の実施の形態１にかかる液晶表示装置１００の構成を示す模式図である。本実施の形態においては、ＳＴＮ（Super Twisted Nematic）方式の単純マトリクス型であり、ノーマリーブラックの液晶パネル１０１を用いた例について説明する。図１に示すように、液晶表示装置１００は、液晶パネル１０１、駆動回路１０２を備えている。また、駆動回路１０２は、コモンドライバ１０３、セグメントドライバ１０４、切り替え電圧生成部１０５を備えている。本発明において注目すべき点は、表示データが切り替わるタイミングで液晶に印加される液晶駆動電圧である。
【００２０】
液晶パネル１０１は、入力される表示データに基づいて画像表示を行う。液晶パネル１０１は、ガラスなどからなる２枚の基板の間に液晶を封入した構成を有している。一方の基板には、複数の信号電極が列方向に一定間隔を隔てて形成されている。また、他方の基板には、信号電極と交差するように走査電極が行方向に一定間隔を隔てて形成されている。本実施の形態においては、走査電極が、信号電極と液晶を挟んで対向する対向電極である。走査電極と信号電極との交差部が単位画素に対応する。走査電極及び信号電極は、例えば、ＩＴＯ（Indium Tin Oxide）などの透明導電性薄膜から形成されている。
【００２１】
なお、本実施の形態においては、カラーフィルタを配設しない白黒表示の液晶パネルであるが、信号電極が形成された基板に、単位画素に対応する位置にＲ（赤）、Ｇ（緑）、Ｂ（青）のいずれかに着色された樹脂を配置したカラーフィルタを設けてもよい。このとき、１つの画素は、Ｒ、Ｇ、Ｂの３つの単位画素から構成される。また、Ｒ、Ｇ、Ｂ各色の間に、ＢＭ（Black Matrix：ブラックマトリックス）を設けてもよい。
【００２２】
また、２枚の基板の対向する面にはそれぞれ所定の方向に配向された配向膜が設けられている。これら両基板に挟持された液晶は、配向膜によって所定の方向に配向する。それぞれの基板の外側表面には、偏光板が貼着される。
【００２３】
駆動回路１０２は、電気的に液晶パネル１０１に接続され、外部から入力される表示データに基づいて、画像の表示に必要な各種の制御信号、走査電圧及び表示電圧などを出力するものである。本実施の形態においては、駆動回路１０２内に、走査電極に走査電圧を印加するコモンドライバ１０３、信号電極に表示電圧を印加するセグメントドライバ１０４、切り替え電圧生成部１０５などを１つのチップとして形成する構成としたが、これに限定されず、別々に構成することも可能である。
【００２４】
液晶パネル１０１の背面には、バックライトユニット（不図示）が備えられている。バックライトユニットは、液晶パネル１０１の反視認側から液晶パネル１０１に対して白色光を照射する。バックライトユニットとしては、例えば、光源、導光板、プリズムシートなどを備えた一般的な構成のものを用いる。
【００２５】
ここで、液晶表示装置１００の駆動について説明する。コモンドライバ１０３から各走査電極には順次選択電圧となる走査電圧が印加される。一方、各信号電極には表示データに応じた表示電圧が印加される。１フレームの間の走査電極及び信号電極の電位差が、液晶に印加される液晶駆動電圧となる。すなわち、液晶駆動電圧は、１フレーム間に液晶に印加される実効電圧である。この液晶に印加される液晶駆動電圧については、後に詳述する。各走査電圧によって選択された１つの走査電極と信号電極との電位差に応じて、走査電極−信号電極間の液晶の配列が変化する。反視認側の偏光板を透過した直線偏光は、液晶によって偏光方向が制御され、視認側偏光板を透過する光の透過率が制御される。
【００２６】
ここで、図２及び図３を参照して上述した液晶表示装置１００の駆動方法について詳細に説明する。図２は、４本の走査電極ＣＯＭ１〜ＣＯＭ４と４本の信号電極ＳＥＧ１〜４が形成されている液晶パネル１０１の表示の一部を示している。液晶パネル１０１の表示が、図２（ａ）に示すように（ＣＯＭ１、ＳＥＧ２）に対応する画素Ｄ１２が黒、（ＣＯＭ２、ＳＥＧ２）に対応する画素Ｄ２２が白、（ＣＯＭ３、ＳＥＧ２）に対応する画素Ｄ３２が黒、（ＣＯＭ４、ＳＥＧ２）に対応する画素Ｄ４２が白の表示から、表示切り替えタイミングＡにおいて同図（ｂ）に示すように画素Ｄ１２が白、画素Ｄ２２が黒、画素Ｄ３２が黒、画素Ｄ４２が黒の表示へと切り替える場合について説明する。第１の表示データに基づいて図２（ａ）に示す表示となり、第１の表示データの次の第２の表示データに基づいて図２（ｂ）に示す表示となる。ここでは、４フレームの間同じ表示データで表示が行われる。すなわち、４フレーム毎に表示データが駆動回路１０２に入力される。
【００２７】
図３は、本実施の形態の液晶表示装置１００の駆動方法を説明するための波形図である。図３は、図２に示す走査電極ＣＯＭ２と信号電極ＳＥＧ２とが交差する部分に対応する画素Ｄ２２の電圧の波形を示している。図３において、ＣＯＭは走査電極に印加される走査電圧、ＳＥＧは信号電極に印加される表示電圧を示している。デューティ（＝選択期間ｔ／フレーム周期Ｔ）は、１／４である。
【００２８】
図３に示すように、表示切り替えタイミングＡまでは、走査電極ＣＯＭ２に供給される走査電圧ＣＯＭが一定周期で選択電圧となる。走査電圧ＣＯＭが選択電圧になると、画素Ｄ２２には、第１の表示データに基づいて白表示に対応した表示電圧ＳＥＧが供給される。ここでは、画素Ｄ１２が黒、画素Ｄ２２が白、画素Ｄ３２が黒、画素Ｄ４２が白の表示であるため、表示電圧ＳＥＧは１フレームＴの１／４の期間ずつ、それぞれの表示に対応する電圧が出力される。すなわち、黒、白、黒、白の表示に対応する表示電圧ＳＥＧが印加される。また、液晶の劣化による表示不良の抑制のために、１フレームごとに反転駆動が行われている。
【００２９】
そして、第２の表示データが入力される表示切り替えタイミングＡにおいて、切り替え電圧生成部１０５は、本来印加すべき黒表示に対応する電圧よりも低い切り替え電圧を生成する。そして、所定の切り替え期間Ｂの間、走査電圧ＣＯＭ及び表示電圧ＳＥＧは、本来印加すべき黒表示の電圧よりも低い切り替え電圧となる。すなわち、画素Ｄ２２の液晶には、本来表示すべき黒に対応する液晶駆動電圧よりも低い液晶駆動電圧が印加される。
【００３０】
１／４デューティのような低デューティでＳＴＮ方式の液晶パネル１０１を駆動させた場合、図６に示すように、オン電圧がかかりすぎる状態となる。すなわち、本実施形態の場合、白表示のときに電圧がかかりすぎた状態となる。したがって、オン電圧から透過率の変化点までの電圧は、オフ電圧から透過率の変化点までの電圧よりも大きい。このため、白表示から黒表示へと表示を切り替えるとき、つまり、オン電圧からオフ電圧へと切り替えるときの応答時間が長くなっていた。
【００３１】
本実施の形態の場合、切り替え期間Ｂの間、液晶には本来の黒表示に対応する液晶駆動電圧よりも低い液晶駆動電圧が印加されることとなる。これによって、液晶分子の白表示の配列から黒表示の配列への変化速度を加速することができる。したがって、液晶が白表示の配列から黒表示の配列へと移行する応答時間を短くすることができる。
【００３２】
また、本実施の形態の場合、切り替え期間Ｂの間のデューティは、通常の表示を行っているときのデューティと等しいものとした。これによって、複雑な回路構成をとることなく、簡便に応答速度を向上させることができる。
【００３３】
一方、他の画素の液晶にも、切り替え期間Ｂの間、本来の表示に対応する液晶駆動電圧よりも低い液晶駆動電圧が印加されることとなる。つまり、例えば、黒表示から白表示へと切り替わる画素Ｄ１２にも、本来の白表示に対応する液晶駆動電圧よりも低い液晶駆動電圧が印加される。しかしながら、オフからオンへの切り替えは、オンからオフへの切り替えに比べて早いので、切り替え期間Ｂの間、液晶に本来の表示に対応する液晶駆動電圧よりも低い液晶駆動電圧が印加されることとなったとしても、応答時間がわずかに増加するだけであり影響は少ない。また、白表示から黒表示への切り替えにかかる応答時間と、黒表示から白表示への切り替えにかかる応答時間のバランスがよくなることにより、より良好な表示を行うことが可能である。
【００３４】
切り替え期間Ｂの経過後は、走査電極ＣＯＭ２に本来供給される走査電圧ＣＯＭが立ち上がり選択電圧となると、画素Ｄ２２には本来の黒表示に対応した表示電圧ＳＥＧが供給される。ここでは、画素Ｄ１２が白、画素Ｄ２２が黒、画素Ｄ３２が黒、画素Ｄ４２が黒の表示であるため、表示電圧ＳＥＧは１フレームＴの１／４の期間ずつ、それぞれの表示に対応する電圧が出力される。すなわち、白、黒、黒、黒に対応する表示電圧ＳＥＧが印加される。このように、切り替え期間Ｂの経過後に、本来の黒表示に対応した電圧を印加するため、画素Ｄ２２には、本来の黒表示に対応した電圧が印加され、通常の表示を行うことができる。
【００３５】
なお、走査電圧ＣＯＭと表示電圧ＳＥＧを、同一波形で同一の電圧としてもよい。このようにすることによって、液晶にかかる液晶駆動電圧を０Ｖとすることができ、さらに応答時間を短くすることができる。
【００３６】
実施の形態２．
本発明の実施の形態２について、図４を参照して説明する。図４は、本実施の形態の液晶表示装置１００の駆動方法を説明するための波形図である。本実施の形態において、実施の形態１と異なる点は、表示切り替えタイミングＡから所定の切り替え期間Ｂにおいて、走査電極と信号電極とに等しい電圧を印加する点である。本実施の形態においては、実施の形態１において説明した液晶パネル１０１を用いているものとし、図２に示す表示の切り替えを行っているとする。
【００３７】
図４の波形図は、図２に示す走査電極ＣＯＭ２と信号電極ＳＥＧ２とが交差する部分に対応する画素Ｄ２２の電圧を示す。図４において、ＣＯＭは走査電極に供給される走査電圧、ＳＥＧは信号電極に供給される表示電圧を示している。また、デューティ（＝選択期間ｔ／フレーム周期Ｔ）は、１／４であり、１フレームごとに反転駆動が行われている。
【００３８】
図４に示すように、表示切り替えタイミングＡまでは、実施の形態１において説明したように走査電極ＣＯＭ２に供給される走査電圧ＣＯＭが立ち上がり選択電圧となると、画素Ｄ２２には白表示に対応した表示電圧ＳＥＧが供給される。ここでは、画素Ｄ１２が黒、画素Ｄ２２が白、画素Ｄ３２が黒、画素Ｄ４２が白の表示であるため、表示電圧ＳＥＧは１フレームＴの１／４の期間ずつ、それぞれの表示に対応する電圧が出力される。
【００３９】
そして、表示切り替えタイミングＡにおいて画素Ｄ２２を黒の表示へと切り替えるとき、切り替え電圧生成部１０５において、走査電圧ＣＯＭと表示電圧ＳＥＧとが等しい切り替え電圧が生成される。そして、所定の切り替え期間Ｂの間、走査電極及び表示電極には、それぞれ等しい切り替え電圧が印加される。すなわち、画素Ｄ２２の液晶には、０Ｖの液晶駆動電圧が印加されることとなる。切り替え期間Ｂにおける走査電圧ＣＯＭ及び表示電圧ＳＥＧは、１フレームの間一定電圧となっており、１フレームごとに反転する。
【００４０】
このようにすることによって、液晶分子の白表示の配列から黒表示の配列への移行速度をさらに加速することができる。したがって、液晶が白表示から黒表示へと移行する応答時間を短くすることができる。一方、他の画素についても、切り替え期間Ｂの間、液晶には０Ｖの液晶駆動電圧が印加されることとなる。例えば、黒表示から白表示へと切り替わる画素にも、０Ｖの液晶駆動電圧が印加される。しかしながら、上述したように、黒表示から白表示へと表示を切り替えるときの応答時間は短い。このため、切り替え期間Ｂの間、液晶に０Ｖの液晶駆動電圧が印加されることとなり、応答時間がわずかに増加したとしても影響は少ない。また、白表示から黒表示への切り替えにかかる応答時間と、黒表示から白表示への切り替えにかかる応答時間のバランスがよくなることにより、より良好な表示を行うことが可能である。
【００４１】
切り替え期間Ｂの経過後は、走査電極ＣＯＭ２に供給される走査電圧ＣＯＭが立ち上がり選択電圧となると、画素Ｄ２２には本来の黒表示に対応した表示電圧ＳＥＧが供給される。ここでは、画素Ｄ１２が白、画素Ｄ２２が黒、画素Ｄ３２が黒、画素Ｄ４２が黒の表示であるため、表示電圧ＳＥＧは１フレームＴの１／４の期間ずつ、それぞれの表示に対応する電圧が出力される。このように、切り替え期間Ｂの経過後に、本来の黒表示に対応した電圧を印加するため、画素Ｄ２２には、本来の黒表示に対応した電圧が印加され、通常の表示を行うことができる。
【００４２】
実施の形態２においては、切り替え期間Ｂにおいて走査電極に印加される電圧と信号電極に印加される電圧とを等しい値としたが、これに限定されない。切り替え期間Ｂにおいて、本来液晶に印加される液晶駆動電圧よりも低い液晶駆動電圧が印加されるようにすればよい。つまり、走査電極に印加される切り替え電圧と信号電極に印加される切り替え電圧とが、異なる値となっていてもよい。
【００４３】
実施の形態３．
本発明の実施の形態３について、図５を参照して説明する。図５は、本実施の形態の液晶表示装置１００の駆動方法を説明するための波形図である。本実施の形態では実施の形態２と同様に１／４デューティ駆動を行っているが、実施の形態２と異なる点は、１／２バイアス駆動を行っている点である。本実施の形態においては、実施の形態１において説明した液晶パネル１０１を用いているものとし、図２に示す表示の切り替えを行っているとする。
【００４４】
図５の波形図は、図２に示す走査電極ＣＯＭ２と信号電極ＳＥＧ２とが交差する部分に対応する画素Ｄ２２の電圧を示す。図５において、ＣＯＭは走査電極に供給される走査電圧、ＳＥＧは信号電極に供給される表示電圧を示している。また、１フレームごとに反転駆動が行われている。また、走査電極及び信号電極に印加される電圧のレベルは、３レベルのうちのいずれかである。
【００４５】
図５に示すように、表示切り替えタイミングＡまでは、図３と同様に走査電極ＣＯＭ２に供給される走査電圧ＣＯＭが立ち上がり選択電圧となると、画素Ｄ２２には白表示に対応した表示電圧ＳＥＧが供給される。ここでは、画素Ｄ１２が黒、画素Ｄ２２が白、画素Ｄ３２が黒、画素Ｄ４２が白の表示であるため、表示電圧ＳＥＧは１フレームＴの１／４の期間ずつ、３レベルのうちのそれぞれの表示に対応する電圧が出力される。
【００４６】
そして、表示切り替えタイミングＡにおいて画素Ｄ２２を黒の表示へと切り替えるとき、切り替え電圧生成部１０５において、走査電圧ＣＯＭと表示電圧ＳＥＧとが等しい切り替え電圧が生成される。そして、所定の切り替え期間Ｂの間、走査電極及び表示電極には、それぞれ等しい切り替え電圧が印加される。すなわち、画素Ｄ２２の液晶には、０Ｖの液晶駆動電圧が印加されることとなる。切り替え期間Ｂにおける走査電圧ＣＯＭ及び表示電圧ＳＥＧは、１フレームの間一定電圧となっており、１フレームごとに反転する。この切り替え期間Ｂにおいて走査電圧ＣＯＭ及び表示電圧ＳＥＧに印加される電圧も、上述した３レベルの電圧のうちのいずれか１つを選択したものである。
【００４７】
このようにすることによって、液晶が白表示の配列から黒表示の配列へと移行する応答時間を短くすることができる。また、３レベルのうちのいずれかの電圧を選択するようにしているので、簡便に応答時間を短くすることが可能である。一方、他の画素についても、切り替え期間Ｂの間、液晶には０Ｖの液晶駆動電圧が印加されることとなる。しかしながら、上述したように、黒表示から白表示へと表示を切り替えるときの応答時間は短く、液晶に０Ｖの液晶駆動電圧が印加されることとなり応答時間がわずかに増加したとしても影響は少ない。また、白表示から黒表示への切り替えにかかる応答時間と、黒表示から白表示への切り替えにかかる応答時間のバランスがよくなることにより、より良好な表示を行うことが可能である。
【００４８】
切り替え期間Ｂの経過後は、走査電極ＣＯＭ２に供給される走査電圧ＣＯＭが立ち上がり選択電圧となると、画素Ｄ２２には本来の黒表示に対応した表示電圧ＳＥＧが供給される。ここでは、画素Ｄ１２が白、画素Ｄ２２が黒、画素Ｄ３２が黒、画素Ｄ４２が黒の表示であるため、表示電圧ＳＥＧは１フレームＴの１／４の期間ずつ、それぞれの表示に対応する電圧が出力される。このように、切り替え期間Ｂの経過後に、本来の黒表示に対応した電圧を印加するため、画素Ｄ２２には、本来の黒表示に対応した電圧が印加され、通常の表示を行うことができる。
【００４９】
実施例．
１／２バイアス、１／４デューティの駆動を行うＳＴＮ方式の液晶パネルで、白表示から黒表示に切り替えるタイミングＡにおいて切り替え期間Ｂを設けた駆動を行った。通常、切り替え期間Ｂにおいては４Ｖの液晶駆動電圧が印加されており、この場合の白表示から黒表示への応答時間は２５００ｍｓである。これに対して、切り替え期間Ｂにおいて０Ｖの液晶駆動電圧を印加した場合、応答時間は７８０ｍｓに短縮することができた。また、１．５Ｖの液晶駆動電圧を印加した場合は、８５０ｍｓであった。切り替え期間Ｂにおける液晶駆動電圧を３．８Ｖとした場合でも、１９００ｍｓに短縮することができた。
【００５０】
切り替え期間Ｂの長さは、任意に設定することが可能である。例えば、切り替え期間Ｂにおいて０Ｖの液晶駆動電圧を印加し応答時間が７８０ｍｓとなる場合に、切り替え期間Ｂを７８０ｍｓとすると、液晶の配列が液晶駆動電圧を０Ｖ印加したときの配列となってしまう。このようにすると、切り替え期間Ｂの経過後に、本来の表示に対応する液晶駆動電圧を印加しても、応答速度が遅くなってしまうこととなる。また、本来の表示とは異なる表示がなされる場合もある。したがって、これらを考慮して、切り替え期間Ｂの長さを決定することが好ましい。例えば、切り替え期間の長さを７８０ｍｓの１／２の３６０ｍｓとすることができる。
【００５１】
なお、ここでは、ＳＴＮ方式の単純マトリクス型液晶パネルについて説明したがこれに限定されない。例えば、１枚のＳＴＮ方式の液晶パネルに単純マトリクス方式のドット表示部とセグメント表示部とが混在して、低デューティ駆動を行う場合などにも適用することが可能である。また、ＳＴＮ方式の液晶パネル２枚で１対の液晶表示装置において、一方の液晶パネルにドット表示部が設けられ、他方の液晶パネルにセグメント表示部が設けられ、低デューティ駆動を行う場合にも適用することができる。
【００５２】
また、本実施の形態では、デューティを１／４としたが、これに限定されない。デューティが、１／２〜１／１６の低デューティ駆動においては、上述したように、オン電圧がかかりすぎた状態となるので、本発明により応答速度を向上させることが可能である。
【００５３】
以上から、表示が切り替わるタイミングで、本来液晶に印加される液晶駆動電圧よりも低い液晶駆動電圧を所定の期間印加することによって、応答速度を改善し、良好な表示を行うことができる。
【図面の簡単な説明】
【００５４】
【図１】実施の形態にかかる液晶表示装置の構成の一例を示す概略図である。
【図２】実施の形態にかかる液晶表示装置の一部の表示状態について説明する図である。
【図３】実施の形態１にかかる液晶表示装置の駆動方法を説明するための波形図である。
【図４】実施の形態２にかかる液晶表示装置の駆動方法を説明するための波形図である。
【図５】実施の形態３にかかる液晶表示装置の駆動方法を説明するための波形図である。
【図６】ＳＴＮ方式の液晶パネルの実効電圧に対する透過率の変化を示すグラフである。
【符号の説明】
【００５５】
１００  液晶表示装置
１０１  液晶パネル
１０２  駆動回路
１０３  コモンドライバ
１０４  セグメントドライバ
１０５  切り替え電圧生成部
【図１】
2006308807.tif 000003
【図２】
2006308807.tif 000004
【図３】
2006308807.tif 000005
【図４】
2006308807.tif 000006
【図５】
2006308807.tif 000007
【図６】
2006308807.tif 000008